(57)【要約】【課題】  被写体側に集音手段及び双方向通信手段の機能を持った無線マイクを持たせ、ビデオカメラで被写体を撮影するときに、被写体から発生する音声を記録する記録手段を備えたビデオカメラ装置を提供する。【解決手段】  ビデオカメラ装置は、撮像手段を備えたビデオカメラであって、被写体側の無線マイクからの音声信号を近距離無線データ通信手段を介して受信する音声通信手段と、前記撮像手段により撮像した前記被写体の画像情報と前記音声通信手段により受信した音声信号とを記録する記録手段と、を備えたことである。【選択図】  図１
2006042271.tif 000002
【特許請求の範囲】
【請求項１】
撮像手段を備えたビデオカメラであって、
被写体側の無線マイクからの音声信号を近距離無線データ通信手段を介して受信する音声通信手段と、
前記撮像手段により撮像した前記被写体の画像情報と前記音声通信手段により受信した音声信号とを記録する記録手段と、を備えたことを特徴とするビデオカメラ装置。
【請求項２】
前記近距離無線データ通信手段は、ブルートゥース方式の通信手段である請求項１に記載のビデオカメラ装置。
【請求項３】
前記近距離無線データ通信手段は、前記無線マイクと前記ビデオカメラがＩＤ識別により１対１の関係になる機器同士の通信手段である請求項１に記載のビデオカメラ装置。
【請求項４】
前記記録手段は、前記ビデオカメラのズーム情報と、前記被写体の画角により、前記無線マイクからの音声信号と前記ビデオカメラの内蔵マイクからの音声信号の混合比を０〜１００パーセントの間で変化させて記録するようにしたことを特徴とする請求項１に記載のビデオカメラ装置。
【請求項５】
更に、
前記ビデオカメラ側の音声信号を、前記近距離無線データ通信手段を介して前記被写体側の無線マイクに出力する音声出力手段を備えたことを特徴とする請求項１に記載のビデオカメラ装置。
【請求項６】
更に、
前記近距離無線データ通信手段のリンク状況を、前記ビデオカメラの電子ビューファインダー上にアイコンで表示するリンク表示手段を備えたことを特徴とする請求項１に記載のビデオカメラ装置。
【請求項７】
前記記録手段は、前記近距離無線データ通信手段のリンクが切れたときに、その待ち受けを続けると共に、記録する音声信号を前記ビデオカメラの内蔵マイクから入力された音声信号に切り換えて記録し、復帰後は直ぐに元に戻して記録するようにしたことを特徴とする請求項１に記載のビデオカメラ装置。
【請求項８】
前記記録手段は、前記近距離無線データ通信手段の通信状態が悪くなり、データ再送が所定の設定値を超えたときに、記録する音声信号を前記ビデオカメラの内蔵マイクから入力された音声信号に切り換えて記録し、復帰後は直ぐに元の状態に戻して記録するようにしたことを特徴とする請求項１に記載のビデオカメラ装置。
【発明の詳細な説明】
【技術分野】
【０００１】
本発明は、ビデオカメラ装置に関し、詳しくは被写体側に無線マイクを持たせ,近距離無線データ通信機能、例えば、ブルートゥースを用いて互いに認証できるビデオカメラと無線マイク間で、無線マイクからの音声をビデオカメラ側で記録できるようにしたビデオカメラ装置に関する。
【背景技術】
【０００２】
従来技術における撮像装置は、図３に示すように、遠隔モニタ装置１００にマイク１０１及び画像表示装置１０２を備え、遠隔モニタ装置１００とカメラ２００とを赤外線伝送装置１０３によって接続して、カメラ２００をリモートコントロールすると共に、カメラ２００によって撮像された画像を遠隔モニタ装置１００に表示させる。
【特許文献１】特開昭６１−５３８７８号（第２頁  第１図）
【発明の開示】
【発明が解決しようとする課題】
【０００３】
しかしながら、従来技術で説明した撮像装置は、赤外線を使用した音声信号の伝送であるが、これは発光部と受光部が見通し範囲内でなくてはならず、または別組の同じ装置からの混信も起こり希望の音声を記録できない。又、識別された信号の状況を把握できないので、無音状態や音途切れ状態での録音になってしまうという問題がある。
【０００４】
従って、被写体側からの音声信号が撮像する側に音途切れることなく伝わり、且つ撮像する側からの音声が被写体側に伝わるような撮像装置に解決しなければならない課題を有する。
【課題を解決するための手段】
【０００５】
上記課題を解決するために、本願発明のビデオカメラ装置は、次に示す構成にすることである。
【０００６】
（１）ビデオカメラ装置は、撮像手段を備えたビデオカメラであって、被写体側の無線マイクからの音声信号を近距離無線データ通信手段を介して受信する音声通信手段と、前記撮像手段により撮像した前記被写体の画像情報と前記音声通信手段により受信した音声信号とを記録する記録手段と、を備えたことである。
（２）前記近距離無線データ通信手段は、ブルートゥース方式の通信手段である（１）に記載のビデオカメラ装置。
（３）前記近距離無線データ通信手段は、前記無線マイクと前記ビデオカメラがＩＤ識別により１対１の関係になる機器同士の通信手段である（１）に記載のビデオカメラ装置。
（４）前記記録手段は、前記ビデオカメラのズーム情報と、前記被写体の画角により、前記無線マイクからの音声信号と前記ビデオカメラの内蔵マイクからの音声信号の混合比を０〜１００パーセントの間で変化させて記録するようにしたことを特徴とする（１）に記載のビデオカメラ装置。
（５）更に、前記ビデオカメラ側の音声信号を、前記近距離無線データ通信手段を介して前記被写体側の無線マイクに出力する音声出力手段を備えたことを特徴とする（１）に記載のビデオカメラ装置。
（６）更に、前記近距離無線データ通信手段のリンク状況を、前記ビデオカメラの電子ビューファインダー上にアイコンで表示するリンク表示手段を備えたことを特徴とする（１）に記載のビデオカメラ装置。
（７）前記記録手段は、前記近距離無線データ通信手段のリンクが切れたときに、その待ち受けを続けると共に、記録する音声信号を前記ビデオカメラの内蔵マイクから入力された音声信号に切り換えて記録し、復帰後は直ぐに元に戻して記録するようにしたことを特徴とする（１）に記載のビデオカメラ装置。
（８）前記記録手段は、前記近距離無線データ通信手段の通信状態が悪くなり、データ再送が所定の設定値を超えたときに、記録する音声信号を前記ビデオカメラの内蔵マイクから入力された音声信号に切り換えて記録し、復帰後は直ぐに元の状態に戻して記録するようにしたことを特徴とする（１）に記載のビデオカメラ装置。
【発明の効果】
【０００７】
被写体側の無線マイクで捉えた音声信号を撮像手段を有するビデオカメラ側で記録することで、遠くの被写体の音声がはっきりと録音できるため映像と音声の違和感のない記録を実現することができる。
又、同様なビデオカメラ装置が周りに存在していても、無線マイクとビデオカメラは１対１で接続するので、他のビデオカメラ装置からの混信がなく記録できる。
更に、近距離無線データ通信手段は双方向通信になるので、撮影者と被写体が会話しながら録画できるので、撮影者の意図に沿った映像が撮影できる。
また、無線通信なので、被写体の影に隠れても通信が確保され、途切れない。
さらに、通信確保ぎりぎりの状態であってもすぐに復帰でき再設定の必要がない。
【発明を実施するための最良の形態】
【０００８】
次に、本願発明に係るビデオカメラ装置の実施形態について、図面を参照して、以下説明する。
【実施例１】
【０００９】
本願発明のビデオカメラ装置は、被写体側に音声を集音して無線で伝送する近距離無線データ通信手段を備えた無線マイクを持たせ、被写体を撮像するビデオカメラ側に被写体を撮像しながら、所望の被写体で発生する音声を無線マイクから受信して撮影と同時に記録するというもので、例えば、遠くの被写体の音声がはっきりと録音できるので、映像と音声の違和感をなくした状態で記録できるというものである。
近距離無線データ通信手段は、実施例においてはブルートゥース方式の通信手段であり、これは双方向通信を可能にしている。
ブルートゥース方式の通信手段を実現するためのブルートゥースデバイスは、２．４ＧＨｚ帯域の電波を使用して、無線でデータを送受信するものであり、その最大転送速度は、１Ｍｂｉｔ／ｓｅｃ、変調方式は、ＧＦＳＫ（Ｇａｕｓｓｉａｎ  Ｆｒｅｑｕｅｎｃｙ  Ｓｈｉｆｔ  Ｋｅｙｉｎｇ）とされている。又、ブルートゥースデバイスでの最大転送距離は、１０ｍ（出力１ｍｗ）と１００ｍ（出力１００ｍｗ）のものがあり、その用途により使い分けられる。
【００１０】
ブルートゥースデバイスは、転送可能な距離の範囲内（以下、圏内と称する）に通信可能なブルートゥースデバイスを検出したとき（ブルートゥースデバイスを備えた電子機器を検出したとき）、相互に認証処理を実行し、認証処理が成功した場合に、相互にデータの授受をすることができる。より詳細には、ブルートゥースの制御部は記憶部が記憶しているブルートゥースネットワークを構成する機器のリストをＩＤ識別により管理しており、ＩＤ識別の認証が成功したとき、この機器のリストに新たに検出された機器を登録する。又、リストに加えられた機器が圏内から外れた場合（以下、圏外の場合と称する）、制御部は記憶部に保持されたリストからその機器を削除する。この処理により制御部はリストに登録されている機器に限り、ブルートゥースネットワークを介した通信が可能であると認識する。このため、各種のデバイス間では、ブルートゥースネットワークによる相互の通信が可能とするため、予めデバイス同士が、相互の認証情報を登録する必要がある。
実施例においては、無線マイク１１（図１参照）とビデオカメラ２０（図２参照）との認証情報、即ち、ＩＤを予め登録しておき、これ以外の機器との交信はできないように設定してある。
【００１１】
無線マイク１１は、図１に示すように、マイク１２と、イヤホン１６と、イヤホン１６を接続するイヤホン端子１５と、マイク１２からの信号を入力して処理すると共にマイク側アンテナ１４で受信した信号を処理してイヤホン１６側へ出力する機能を備え、ブルートゥースデバイスを備えた信号処理部１３と、信号処理部１３で処理された音声の信号を送信すると共にビデオカメラ側からの音声信号を受信するマイク側アンテナ１４とで大略構成されている。
【００１２】
ビデオカメラ２０は、図２に示すように、被写体を撮影するレンズ部２１と、被写体をズームするズームレバー２２と、ズームを制御する制御部３０と、電子ビューファインダー２９と、撮像した音声映像を記録する記録媒体３３と、記録媒体３３に記録を制御する信号記録部２８と、内蔵マイク２３と、撮影者マイク３２と、撮影者マイク３２を接続するマイク端子３１と、撮影者イヤホン３４と、撮影者イヤホン３４を接続するイヤホン端子３５と、撮影者イヤホン３４で集音された音声と無線マイク１１側から送られてきた音声とを混合させる音声ＭＩＸ部２７と、撮影者マイク３２で集音された音声をビデオ側アンテナ２４を介して伝送するように処理するブルートゥースデバイスを備えると共に無線マイク１１（図１参照）からの音声信号を処理する無線信号処理部２６と、ビデオ側アンテナ２４と、音声ＭＩＸ部２７からの音声とレンズ部２１で撮像した信号とを処理するカメラ信号処理部２５とを備えた構成になっている。
【００１３】
このような無線マイク１１とビデオカメラ２０からなるビデオカメラ装置は、先ず、無線マイク１１は、被写体側にこの無線マイク１１を持たせることで、被写体の音声をマイク１２で集音して、信号処理部１３で音声信号をブルートゥース信号に符号化して、マイク側アンテナ１４から伝送する。又、ビデオカメラ２０からのブルートゥース信号は、マイク側アンテナ１４で受信され、信号処理部１３で音声に復調されて、イヤホン端子１５に接続されたイヤホン１６で、被写体は撮影者からの動作指示や記録音声モニタを聞くことができる。
【００１４】
そして、ビデオカメラ２０は、被写体の映像をレンズ部２１で電気信号に変換しカメラ信号処理部２５で録画信号に処理し、信号記録部２８で記録媒体３３に録画する。音声は内蔵マイク２３で集音し、カメラ信号処理部２５で録画信号に処理し、信号記録部２８で記録媒体３３に映像と共に記録する。無線マイク１１から伝送したブルートゥース信号をビデオ側アンテナ２４で受信し、無線信号処理部２６で復号する。撮影時のズームレバー２２の位置を制御部３０で検知し、また被写体の画角をカメラ信号処理部２５で検知し、被写体までの距離を求め、その結果により、被写体が近い時は内蔵マイク２３の信号と無線信号処理部２６で復号した音声の混合比を内蔵マイク２３からの比率を上げてカメラ信号処理部２５に送る。又、被写体が遠い場合は、無線マイク１１からの音声の比率を上げる。この比率は０〜１００パーセントの間で設定する。又、内蔵マイク２３にかえて、撮影者マイク３２からの音声をＭＩＸしてもよい。更に、撮影者が無線マイク１１を持つ被写体に動作指示をするときは、撮影者マイク３２で集音して、マイク端子３１から入力して無線信号処理部２６でブルートゥース信号に符号化して伝送する。無線マイク１１からのブルートゥース信号はビデオ側アンテナ２４で受信し、無線信号処理部２６で復号し、撮影者の意図した動きが撮影できる。また、図示はしていないが、信号記録部２８で記録する音声信号を無線信号処理部２６でブルートゥース信号に符号化して、無線マイク１１に送り、被写体が記録音声のモニタができる。
【００１５】
無線マイク１１とビデオカメラ２０のブルートゥース通信は、ＩＤ識別によりお互いの機器しか認識しない設定にして、電源が入っていればお互いにリンクを張る。このリンク状態を、ビデオカメラ２０の制御部３０で検知して、電子ビューファインダー２９にアイコンで表示する。
撮影者は、このアイコンを見て撮影の停止や再開ができる。リンクが切れてもブルートゥース通信は待ち受け状態にして、復帰後すぐに通信ができるようにする。リンクが切れると、自動的に記録音声を内蔵マイク２３からの音声に切り換え、リンクが復帰したら元の混合比の状態に戻す。又、設定により、切り換えずに無音録音のままでも良い。
被写体との距離が遠くになると、ブルートゥース通信はデータの再送要求をして、データを受信しようとするが、処理の待ち時間により音声が遅れて記録されてしまい違和感が生じる。
再送要求が所定の設定値より多くなったときには、自動的に記録音声を内蔵マイク２３からの音声に切り換え、再送要求が設定値より少なくなったときには、元の混合比の状態に戻す。又、設定により、切り換えずに無音録音のままでも良い。
【産業上の利用可能性】
【００１６】
被写体側に集音手段及び双方向通信手段の機能を持った無線マイク部を持たせ、ビデオカメラ部で被写体を撮影するときに、被写体から発生する音声を記録する記録手段を備えると共に被写体が撮影者側からの音声を聞き入れることで、被写体を撮影しながら会話を通じた撮影を可能にしたビデオカメラを提供する。
【図面の簡単な説明】
【００１７】
【図１】本発明に係る無線マイクを示すブロック図である。
【図２】本発明に係るビデオカメラを示すブロック図である。
【図３】従来技術における撮像装置を示した説明図である。
【符号の説明】
【００１８】
１１；無線マイク、１２；マイク、１３；信号処理部、１４；マイク側アンテナ、１５；イヤホン端子、１６；イヤホン、２０；ビデオカメラ、２１；レンズ部、２２；ズームレバー、２３；内蔵マイク、２４；ビデオ側アンテナ、２５；カメラ信号処理部、２６；無線信号処理部、２７；音声ＭＩＸ部、２８；信号記録部、２９；電子ビューファインダー、３０；制御部、３１；マイク端子、３２；撮影者マイク、３３；記録媒体、３４；撮影者イヤホン、３５；イヤホン端子。
【図１】
2006042271.tif 000003
【図２】
2006042271.tif 000004
【図３】
2006042271.tif 000005
【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
撮像手段を備えたビデオカメラであって、
被写体側の無線マイクからの音声信号を近距離無線データ通信手段を介して受信する音声通信手段と、
前記撮像手段により撮像した前記被写体の画像情報と前記音声通信手段により受信した音声信号とを記録する記録手段と、を備えたことを特徴とするビデオカメラ装置。
【請求項２】
前記近距離無線データ通信手段は、ブルートゥース方式の通信手段である請求項１に記載のビデオカメラ装置。
【請求項３】
前記近距離無線データ通信手段は、前記無線マイクと前記ビデオカメラがＩＤ識別により１対１の関係になる機器同士の通信手段である請求項１に記載のビデオカメラ装置。
【請求項４】
前記記録手段は、前記ビデオカメラのズーム情報と、前記被写体の画角により、前記無線マイクからの音声信号と前記ビデオカメラの内蔵マイクからの音声信号の混合比を０〜１００パーセントの間で変化させて記録するようにしたことを特徴とする請求項１に記載のビデオカメラ装置。
【請求項５】
更に、
前記ビデオカメラ側の音声信号を、前記近距離無線データ通信手段を介して前記被写体側の無線マイクに出力する音声出力手段を備えたことを特徴とする請求項１に記載のビデオカメラ装置。
【請求項６】
更に、
前記近距離無線データ通信手段のリンク状況を、前記ビデオカメラの電子ビューファインダー上にアイコンで表示するリンク表示手段を備えたことを特徴とする請求項１に記載のビデオカメラ装置。
【請求項７】
前記記録手段は、前記近距離無線データ通信手段のリンクが切れたときに、その待ち受けを続けると共に、記録する音声信号を前記ビデオカメラの内蔵マイクから入力された音声信号に切り換えて記録し、復帰後は直ぐに元に戻して記録するようにしたことを特徴とする請求項１に記載のビデオカメラ装置。
【請求項８】
前記記録手段は、前記近距離無線データ通信手段の通信状態が悪くなり、データ再送が所定の設定値を超えたときに、記録する音声信号を前記ビデオカメラの内蔵マイクから入力された音声信号に切り換えて記録し、復帰後は直ぐに元の状態に戻して記録するようにしたことを特徴とする請求項１に記載のビデオカメラ装置。
【請求項９】
被写体側の無線マイクロホンからの音声信号を近距離無線データ通信で受信し、
撮像した前記被写体の画像情報と前記受信した音声信号とを記録することを特徴とする記録方法。
【手続補正３】
【補正対象書類名】明細書
【補正対象項目名】０００１
【補正方法】変更
【補正の内容】
【０００１】
本発明は、ビデオカメラ装置及び記録方法に関し、詳しくは被写体側に無線マイクを持たせ、近距離無線データ通信機能、例えば、ブルートゥースを用いて互いに認証できるビデオカメラと無線マイク間で、無線マイクからの音声をビデオカメラ側で記録できるようにしたビデオカメラ装置及び記録方法に関する。
【手続補正４】
【補正対象書類名】明細書
【補正対象項目名】０００５
【補正方法】変更
【補正の内容】
【０００５】
上記課題を解決するために、本願発明のビデオカメラ装置及び記録方法は、次に示す構成にすることである。
【手続補正５】
【補正対象書類名】明細書
【補正対象項目名】０００６
【補正方法】変更
【補正の内容】
【０００６】
（１）ビデオカメラ装置は、撮像手段を備えたビデオカメラであって、被写体側の無線マイクからの音声信号を近距離無線データ通信手段を介して受信する音声通信手段と、前記撮像手段により撮像した前記被写体の画像情報と前記音声通信手段により受信した音声信号とを記録する記録手段と、を備えたことである。
（２）前記近距離無線データ通信手段は、ブルートゥース方式の通信手段である（１）に記載のビデオカメラ装置。
（３）前記近距離無線データ通信手段は、前記無線マイクと前記ビデオカメラがＩＤ識別により１対１の関係になる機器同士の通信手段である（１）に記載のビデオカメラ装置。
（４）前記記録手段は、前記ビデオカメラのズーム情報と、前記被写体の画角により、前記無線マイクからの音声信号と前記ビデオカメラの内蔵マイクからの音声信号の混合比を０〜１００パーセントの間で変化させて記録するようにしたことを特徴とする（１）に記載のビデオカメラ装置。
（５）更に、前記ビデオカメラ側の音声信号を、前記近距離無線データ通信手段を介して前記被写体側の無線マイクに出力する音声出力手段を備えたことを特徴とする（１）に記載のビデオカメラ装置。
（６）更に、前記近距離無線データ通信手段のリンク状況を、前記ビデオカメラの電子ビューファインダー上にアイコンで表示するリンク表示手段を備えたことを特徴とする（１）に記載のビデオカメラ装置。
（７）前記記録手段は、前記近距離無線データ通信手段のリンクが切れたときに、その待ち受けを続けると共に、記録する音声信号を前記ビデオカメラの内蔵マイクから入力された音声信号に切り換えて記録し、復帰後は直ぐに元に戻して記録するようにしたことを特徴とする（１）に記載のビデオカメラ装置。
（８）前記記録手段は、前記近距離無線データ通信手段の通信状態が悪くなり、データ再送が所定の設定値を超えたときに、記録する音声信号を前記ビデオカメラの内蔵マイクから入力された音声信号に切り換えて記録し、復帰後は直ぐに元の状態に戻して記録するようにしたことを特徴とする（１）に記載のビデオカメラ装置。
（９）記録方法は、被写体側の無線マイクロホンからの音声信号を近距離無線データ通信で受信し、撮像した前記被写体の画像情報と前記受信した音声信号とを記録することである。
【手続補正６】
【補正対象書類名】明細書
【補正対象項目名】０００８
【補正方法】変更
【補正の内容】
【０００８】
次に、本願発明に係るビデオカメラ装置及び記録方法の実施形態について、図面を参照して、以下説明する。
【手続補正７】
【補正対象書類名】明細書
【補正対象項目名】０００９
【補正方法】変更
【補正の内容】
【０００９】
本願発明の記録方法を具現化できる本願発明のビデオカメラ装置は、被写体側に音声を集音して無線で伝送する近距離無線データ通信手段を備えた無線マイクを持たせ、被写体を撮像するビデオカメラ側に被写体を撮像しながら、所望の被写体で発生する音声を無線マイクから受信して撮影と同時に記録するというもので、例えば、遠くの被写体の音声がはっきりと録音できるので、映像と音声の違和感をなくした状態で記録できるというものである。
近距離無線データ通信手段は、実施例においてはブルートゥース方式の通信手段であり、これは双方向通信を可能にしている。
ブルートゥース方式の通信手段を実現するためのブルートゥースデバイスは、２．４ＧＨｚ帯域の電波を使用して、無線でデータを送受信するものであり、その最大転送速度は、１Ｍｂｉｔ／ｓｅｃ、変調方式は、ＧＦＳＫ（Ｇａｕｓｓｉａｎ  Ｆｒｅｑｕｅｎｃｙ  Ｓｈｉｆｔ  Ｋｅｙｉｎｇ）とされている。又、ブルートゥースデバイスでの最大転送距離は、１０ｍ（出力１ｍｗ）と１００ｍ（出力１００ｍｗ）のものがあり、その用途により使い分けられる。
【手続補正８】
【補正対象書類名】明細書
【補正対象項目名】００１０
【補正方法】変更
【補正の内容】
【００１０】
ブルートゥースデバイスは、転送可能な距離の範囲内（以下、圏内と称する）に通信可能なブルートゥースデバイスを検出したとき（ブルートゥースデバイスを備えた電子機器を検出したとき）、相互に認証処理を実行し、認証処理が成功した場合に、相互にデータの授受をすることができる。より詳細には、ブルートゥースの制御部は記憶部が記憶しているブルートゥースネットワークを構成する機器のリストをＩＤ識別により管理しており、ＩＤ識別の認証が成功したとき、この機器のリストに新たに検出された機器を登録する。又、リストに加えられた機器が圏内から外れた場合（以下、圏外の場合と称する）、制御部は記憶部に保持されたリストからその機器を削除する。この処理により制御部はリストに登録されている機器に限り、ブルートゥースネットワークを介した通信を可能であると認識する。このため、各種のデバイス間では、ブルートゥースネットワークによる相互の通信が可能とするため、予めデバイス同士が、相互の認証情報を登録する必要がある。
実施例においては、無線マイク１１（図１参照）とビデオカメラ２０（図２参照）との認証情報、即ち、ＩＤを予め登録しておき、これ以外の機器との交信はできないように設定してある。
【手続補正書】
【提出日】平成17年8月12日(2005.8.12)
【手続補正１】
【補正対象書類名】明細書
【補正対象項目名】０００２
【補正方法】変更
【補正の内容】
【０００２】
従来技術における撮像装置は、図３に示すように、遠隔モニタ装置１００にマイク１０１及び画像表示装置１０２を備え、遠隔モニタ装置１００とカメラ２００とを赤外線伝送装置１０３によって接続して、カメラ２００をリモートコントロールすると共に、カメラ２００によって撮像された画像を遠隔モニタ装置１００に表示させる。
【特許文献１】特開平１１−１５５０９２（第２頁  第１図）